(57)【要約】【課題】ハンドオーバパラメータ調整を実行するか否かの判定閾値（調整判定数）を適切に設定することによって、ハンドオーバパラメータの調整の効率化を図る。【解決手段】セルラー方式の移動通信システムにおいて、セルの組合せ毎に、ハンドオーバ失敗事象の発生回数と「Ping-Pong HO」の発生回数の合計値が調整判定数に達している場合に実行される、ハンドオーバパラメータ調整動作を制御するハンドオーバパラメータ調整制御装置であり、ハンドオーバパラメータの変動が収束したと判定された場合に前記調整判定数を増加させ、定期的に前記合計値の測定結果に基づいて前記調整判定数を更新する制御部１２を備えたことを特徴とする。【選択図】図３
2013135282.tif 000002
【特許請求の範囲】
【請求項１】
セルラー方式の移動通信システムにおいて、セルの組合せ毎に、ハンドオーバ失敗事象の発生回数と「Ping-Pong HO」の発生回数の合計値が調整判定数に達している場合に実行される、ハンドオーバパラメータ調整動作を制御するハンドオーバパラメータ調整制御装置であり、
ハンドオーバパラメータの変動が収束したと判定された場合に前記調整判定数を増加させ、定期的に前記合計値の測定結果に基づいて前記調整判定数を更新する制御部を備えた、
ことを特徴とするハンドオーバパラメータ調整制御装置。
【請求項２】
前記調整判定数の大きさに応じた複数のクラスを設け、
前記制御部は、ハンドオーバパラメータの変動が収束したと判定された場合に、前記調整判定数が小さいクラスから大きいクラスへと段階的に変更する、
ことを特徴とする請求項１に記載のハンドオーバパラメータ調整制御装置。
【請求項３】
セルラー方式の移動通信システムにおいて、セルの組合せ毎に、ハンドオーバ失敗事象の発生回数と「Ping-Pong HO」の発生回数の合計値が調整判定数に達している場合に実行される、ハンドオーバパラメータ調整動作を制御するハンドオーバパラメータ調整制御方法であり、
ハンドオーバパラメータの変動が収束したと判定された場合に前記調整判定数を増加させる第１のステップと、
定期的に前記合計値の測定結果に基づいて前記調整判定数を更新する第２のステップと、
を含むことを特徴とするハンドオーバパラメータ調整制御方法。
【請求項４】
セルラー方式の移動通信システムにおいて、セルの組合せ毎に、ハンドオーバ失敗事象の発生回数と「Ping-Pong HO」の発生回数の合計値が調整判定数に達している場合に実行される、ハンドオーバパラメータ調整動作を制御するハンドオーバパラメータ調整制御処理を行うためのコンピュータプログラムであって、
ハンドオーバパラメータの変動が収束したと判定された場合に前記調整判定数を増加させる第１のステップと、
定期的に前記合計値の測定結果に基づいて前記調整判定数を更新する第２のステップと、
をコンピュータに実行させるためのコンピュータプログラム。
【発明の詳細な説明】
【技術分野】
【０００１】
本発明は、ハンドオーバパラメータ調整制御装置、ハンドオーバパラメータ調整制御方法およびコンピュータプログラムに関する。
【背景技術】
【０００２】
セルラー方式の移動通信システムにおけるハンドオーバの失敗事象は、大きく分けて以下の３つ（「Too Early HO」、「Too Late HO」、「HO to Wrong Cell」）に分類できる（例えば、非特許文献１参照）。
（１）「Too Early HO」
移動端末がセルＡからセルＢにハンドオーバしたが、無線リンク断（Radio Link Failure：ＲＬＦ）がセルＢで発生し、セルＡに再接続する事象である。「Too Early HO」はハンドオーバタイミングが早すぎることが原因で発生する。
（２）「Too Late HO」
移動端末がセルＡに接続中にＲＬＦが発生し、セルＡとは異なるセルＢと接続を再確立する事象である。「Too Late HO」はハンドオーバタイミングが遅すぎることが原因で発生する。
（３）「HO to Wrong Cell」
セルＡからセルＢへのハンドオーバ中、もしくはハンドオーバが成功した直後にＲＬＦが発生し、セルＡ，Ｂとは異なるセルＣと接続を再確立する事象である。セルＢを「Target Cell」、セルＣを「Reconnection Cell」と呼ぶ。
【０００３】
また、不必要なハンドオーバとは、特定の２つの基地局の間で短期間に何度もハンドオーバを繰り返す事象のことであり、「Ping-Pong HO」と呼ばれる。
【０００４】
通常、ハンドオーバパラメータを調整してハンドオーバタイミングを変更することで、ハンドオーバの失敗を低減し、また、「Ping-Pong HO」を防止することが出来る。「Too Early HO」又は「Ping-Pong HO」の発生が支配的な場合には、ハンドオーバタイミングを遅らせるようにハンドオーバパラメータを調整する。一方、「Too Late HO」の発生が支配的な場合には、ハンドオーバタイミングを早めるようにハンドオーバパラメータを調整する。従って、ハンドオーバ失敗事象及び「Ping-Pong HO」の発生回数が多くなり、ハンドオーバパラメータの調整結果が蓄積されるほど、ハンドオーバパラメータ調整の精度は上がる。
【０００５】
高速かつ広帯域の無線伝送を実現する次世代の移動通信方式として、例えば３ＧＰＰ(Third Generation Partnership Project)の標準規格の一つである「ＬＴＥ（Long Term Evolution）」が知られている。ＬＴＥでは、移動端末が送信した「Measurement Report：ＭＲ」メッセージを基地局が受信することを契機としてハンドオーバ処理が行われる。ＭＲには送信判定条件が異なる複数の種類が定義されているが、ここでは、その中でハンドオーバ処理の判定に利用されることが多い「A3 MR」について説明する。「A3 MR」メッセージは以下の条件式（１）が満たされるときに、移動端末から接続基地局（ｓ）へと送信される（例えば、非特許文献２参照）。
【０００６】
Ｍ（ｓ，ｎ）＋Ｏｆ（ｓ，ｎ）＋Ｏｃ（ｓ，ｎ）−Ｈｙｓ（ｓ）＞Ｍ（ｓ，ｓ）＋Ｏｆ（ｓ，ｓ）＋Ｏｃ（ｓ，ｓ）＋ＯｆｆＡ３（ｓ）  ・・・（１）
【０００７】
但し、ｓは接続基地局の基地局識別子（基地局ＩＤ）である。ｎは、接続基地局（ｓ）の隣接基地局の基地局ＩＤである。Ｍ（ｓ，ｓ）は、移動端末が観測した接続基地局（ｓ）に関する「Reference Signal Received Power：ＲＳＲＰ」[dBm]または「Reference Signal Received Quality：ＲＳＲＱ」[dB]である。Ｏｆ（ｓ，ｓ）は、接続基地局（ｓ）の周波数に応じて設定するオフセット値である。Ｏｃ（ｓ，ｓ）は、接続基地局（ｓ）に固有のオフセット値である。Ｏｆ（ｓ，ｎ）は、隣接基地局（ｎ）の周波数に応じて設定するオフセット値である。Ｏｃ（ｓ，ｎ）は、接続基地局（ｓ）が隣接基地局（ｎ）毎に設定するオフセット値（セル個別オフセット：ＣＩＯ）である。Ｈｙｓ（ｓ）は、ヒステリシスと呼ばれるオフセット値である。ＯｆｆＡ３（ｓ）は、「A3 MR」に固有のオフセット値である。
【０００８】
Ｏｆ（ｓ，ｓ）、Ｏｃ（ｓ，ｓ）、Ｏｆ（ｓ，ｎ）、Ｏｃ（ｓ，ｎ）、Ｈｙｓ（ｓ）及びＯｆｆＡ３（ｓ）は、オペレータが設定可能なシステムパラメータである。Ｈｙｓ（ｓ）及びＯｆｆＡ３（ｓ）は、基地局（ｓ）毎に設定するシステムパラメータである。これらのシステムパラメータを変更することで、条件式（１）を満たすタイミング、すなわち、接続基地局（ｓ）から隣接基地局（ｎ）へハンドオーバするタイミングを変更することができる。
【０００９】
非特許文献３，４では、ハンドオーバ失敗事象ごとに判定閾値を設け、ハンドオーバの発生回数（もしくは発生率）が判定閾値を超えた場合に、ハンドオーバ失敗事象に応じた電力オフセット値を調整する方法が提案されている。
【先行技術文献】
【非特許文献】
【００１０】
【非特許文献１】3GPP TS36.300, v9.4.0. 2010-06.
【非特許文献２】3GPP TS36.331, v9.3.0. 2010-06.
【非特許文献３】"移動局の位置を考慮したハンドオーバ・パラメータの自己最適化", 2010 年電子情報通信学会通信ソサイエティ大会, B-5-90
【非特許文献４】"Self-optimization for handover oscillation control in LTE", Network Operations and Management Symposium (NOMS), 2010 IEEE.
【発明の概要】
【発明が解決しようとする課題】
【００１１】
ハンドオーバパラメータを調整する技術として、ハンドオーバ失敗事象の発生回数と「Ping-Pong HO」の発生回数との合計値を、ハンドオーバパラメータ調整を実行するか否かの判定閾値に利用する場合には、対地毎に十分な事象の蓄積が個別に必要となる。このため、通信トラヒックが少ないエリアでは十分な事象が蓄積されるまでに時間がかかるので、ハンドオーバパラメータを最適化するまでの間隔（最適化間隔）が長くなり、通信品質が劣化する可能性がある。単純に、ハンドオーバパラメータの最適化に用いるハンドオーバ失敗事象と「Ping-Pong HO」の蓄積数を小さくした場合には、ハンドオーバパラメータを調整する契機は増えるが、ハンドオーバパラメータの調整の信頼性が低くなって誤ったハンドオーバパラメータが設定される可能性が高くなるため、通信品質の劣化や余計なパラメータ変更の増加による装置負荷の増大を招く可能性がある。
【００１２】
本発明は、このような事情を考慮してなされたもので、ハンドオーバパラメータ調整を実行するか否かの判定閾値（調整判定数）を適切に設定することによって、ハンドオーバパラメータの調整の効率化を図ることができるハンドオーバパラメータ調整制御装置、ハンドオーバパラメータ調整制御方法およびコンピュータプログラムを提供することを課題とする。
【課題を解決するための手段】
【００１３】
上記の課題を解決するために、本発明に係るハンドオーバパラメータ調整制御装置は、セルラー方式の移動通信システムにおいて、セルの組合せ毎に、ハンドオーバ失敗事象の発生回数と「Ping-Pong HO」の発生回数の合計値が調整判定数に達している場合に実行される、ハンドオーバパラメータ調整動作を制御するハンドオーバパラメータ調整制御装置であり、ハンドオーバパラメータの変動が収束したと判定された場合に前記調整判定数を増加させ、定期的に前記合計値の測定結果に基づいて前記調整判定数を更新する制御部を備えた、ことを特徴とする。
【００１４】
本発明に係るハンドオーバパラメータ調整制御装置は、前記調整判定数の大きさに応じた複数のクラスを設け、前記制御部は、ハンドオーバパラメータの変動が収束したと判定された場合に、前記調整判定数が小さいクラスから大きいクラスへと段階的に変更する、ことを特徴とする。
【００１５】
本発明に係るハンドオーバパラメータ調整制御方法は、セルラー方式の移動通信システムにおいて、セルの組合せ毎に、ハンドオーバ失敗事象の発生回数と「Ping-Pong HO」の発生回数の合計値が調整判定数に達している場合に実行される、ハンドオーバパラメータ調整動作を制御するハンドオーバパラメータ調整制御方法であり、ハンドオーバパラメータの変動が収束したと判定された場合に前記調整判定数を増加させる第１のステップと、定期的に前記合計値の測定結果に基づいて前記調整判定数を更新する第２のステップと、を含むことを特徴とする。
【００１６】
本発明に係るコンピュータプログラムは、セルラー方式の移動通信システムにおいて、セルの組合せ毎に、ハンドオーバ失敗事象の発生回数と「Ping-Pong HO」の発生回数の合計値が調整判定数に達している場合に実行される、ハンドオーバパラメータ調整動作を制御するハンドオーバパラメータ調整制御処理を行うためのコンピュータプログラムであって、ハンドオーバパラメータの変動が収束したと判定された場合に前記調整判定数を増加させる第１のステップと、定期的に前記合計値の測定結果に基づいて前記調整判定数を更新する第２のステップと、をコンピュータに実行させるためのコンピュータプログラムであることを特徴とする。
これにより、前述のハンドオーバパラメータ調整制御装置がコンピュータを利用して実現できるようになる。
【発明の効果】
【００１７】
本発明によれば、ハンドオーバパラメータ調整を実行するか否かの判定閾値（調整判定数）を適切に設定することができる。これにより、ハンドオーバパラメータの調整の効率化を図ることに寄与することが可能となる。
【図面の簡単な説明】
【００１８】
【図１】本発明の一実施形態に係るセルラー方式の移動通信システムの全体構成を示す概略構成図である。
【図２】図１に示すハンドオーバパラメータ調整装置１の構成図である。
【図３】図２に示すパラメータ調整制御部１０の構成図である。
【図４】本発明の一実施形態に係るハンドオーバパラメータ調整制御処理のフローチャートである。
【図５】本発明の一実施形態に係るハンドオーバパラメータ調整制御処理のフローチャートである。
【図６】本発明の他の実施形態に係るセルラー方式の移動通信システムの全体構成を示す概略構成図である。
【発明を実施するための形態】
【００１９】
以下、図面を参照し、本発明の実施形態について説明する。
図１は、本発明の一実施形態に係るセルラー方式の移動通信システムの全体構成を示す概略構成図である。ハンドオーバパラメータ調整装置１は、移動通信網１１０の各基地局１００から情報を収集し、移動通信網１１０におけるハンドオーバパラメータを調整する。
【００２０】
図２は、図１に示すハンドオーバパラメータ調整装置１の構成図である。図２において、ハンドオーバパラメータ調整装置１は、パラメータ調整制御部１０とパラメータ調整部２０を有する。パラメータ調整制御部１０は、ハンドオーバパラメータの調整を行う条件である「ハンドオーバ失敗事象の発生回数と「Ping-Pong HO」の発生回数の合計値（調整判定数）」を決定し、決定した調整判定数をパラメータ調整部２０へ通知する。パラメータ調整部２０は、セルの組合せ毎に、ハンドオーバ失敗事象の発生回数と「Ping-Pong HO」の発生回数の合計値が調整判定数に達している場合にハンドオーバパラメータの調整を実行する。
【００２１】
図３は、図２に示すパラメータ調整制御部１０の構成図である。図３において、パラメータ調整制御部１０は、集計部１１と制御部１２を有する。
【００２２】
パラメータ調整制御部１０には、各基地局１００における情報が入力される。この入力情報としては、ハンドオーバ失敗事象（「Too Early HO」、「Too Late HO」、「HO to Wrong Cell」）の各発生回数、及び「Ping-Pong HO」の発生回数、などの情報である。ハンドオーバ失敗事象の各発生回数、及び「Ping-Pong HO」の発生回数は、各基地局１００の「Neighbor List」に含まれるTargetセル毎に、入力される。「Neighbor List」は、当該基地局１００の隣接セル識別子（隣接セルID）のリストである。「Neighbor List」に記載されている隣接セルIDのセルがハンドオーバのTargetセル候補となる。
【００２３】
図３において、集計部１１は、入力されるハンドオーバ失敗事象の各発生回数、及び「Ping-Pong HO」の発生回数を集計する。制御部１２は、集計部１１の集計結果を用いて調整判定数を決定する。制御部１２は、各基地局１００の「Neighbor List」に含まれるTargetセル毎に、調整判定数を決定する。制御部１２は、決定した調整判定数をパラメータ調整部２０へ通知する。
【００２４】
次に、図４、図５を参照して、本実施形態に係るハンドオーバパラメータ調整制御処理を説明する。図４及び図５は、図３に示す制御部１２のハンドオーバパラメータ調整制御処理のフローチャートである。
【００２５】
本実施形態では、調整判定数として３つのクラスＡ、Ｂ、Ｃを定義する。クラスＡの調整判定数（ａ１）は、ハンドオーバパラメータの調整を行うには十分に大きな数である。クラスＣの調整判定数（ｃ１）は、ハンドオーバパラメータの調整を行うには最低限の数である。クラスＢの調整判定数（ｂ１）は、クラスＡとクラスＣの中間の数である。ａ１、ｂ１及びｃ１は正の実数であり、「ａ１＞ｂ１＞ｃ１」とする。例えば、「ａ１＝２０」、「ｂ１＝１０」、「ｃ１＝５」である。
【００２６】
制御部１２は、調整判定数をどのクラスにするのかを決定する。制御部１２は、パラメータ調整部２０がハンドオーバパラメータの調整を実行した時（パラメータ調整時）、及び所定の時間（Ｔ）毎に、調整判定数のクラスを更新する。Ｔは正の実数である。例えば、「Ｔ＝２４」とする（つまり、２４時間毎に調整判定数のクラスを更新する）。ハンドオーバパラメータの調整は、各基地局１００の「Neighbor List」に含まれるTargetセル毎に、ハンドオーバ失敗事象の発生回数と「Ping-Pong HO」の発生回数の合計値が調整判定数に達した時に実行される。
【００２７】
まず、図４を参照して、パラメータ調整時の処理を説明する。制御部１２は、ある「SourceセルとTargetセルの組合せ」に係るパラメータ調整時に、当該「SourceセルとTargetセルの組合せ」に係る調整判定数の更新を図４の処理フローに従って行う。
【００２８】
（ステップＳ１）
制御部１２は、ハンドオーバパラメータの変動が収束したか否かを判定する。この結果が、収束したである場合にはステップＳ２に進み、収束していないである場合には図４の処理を終了する。ステップＳ１の収束判定方法の例１、例２を以下に示す。
（例１）ハンドオーバパラメータの値が、十分な期間（所定の期間）において、所定の変動幅（ｗ１）に収まっている場合に、ハンドオーバパラメータの変動が収束したと判定する。
（例２）ハンドオーバ失敗率「ハンドオーバ失敗数÷ハンドオーバ発生数」及び「Ping-Pong HO」発生率「「Ping-Pong HO」発生数÷ハンドオーバ発生数」が、十分な期間（所定の期間）において、所定の変動幅（ｗ２）に収まっている場合に、ハンドオーバパラメータの変動が収束したと判定する。
【００２９】
なお、所定の変動幅（ｗ１）、（ｗ２）は、調整判定数のクラス別に異なる値とし、調整判定数が小さいほどｗ１、ｗ２を大きくする。
【００３０】
（ステップＳ２）
制御部１２は、現在の調整判定数のクラスを確認する。この結果、クラスＡの場合にはステップＳ３に進み、クラスＢの場合にはステップＳ４に進み、クラスＣの場合にはステップＳ５に進む。
【００３１】
（ステップＳ３）
制御部１２は、クラスダウン停止タイマのタイマ値を所定値（Ｔｄｏｗｎ）に設定する。この後、図４の処理を終了する。Ｔｄｏｗｎは自然数である。例えば「Ｔｄｏｗｎ＝３０」とする。
【００３２】
（ステップＳ４）
制御部１２は、調整判定数のクラスを現在のクラスＢからクラスＡに変更する。この後、ステップＳ３に進む。
【００３３】
（ステップＳ５）
制御部１２は、調整判定数のクラスを現在のクラスＣからクラスＢに変更する。この後、ステップＳ３に進む。
【００３４】
次に、図５を参照して、所定の時間（Ｔ）毎の処理を説明する。制御部１２は、所定の時間（Ｔ）毎に、図４の処理フローに従って、全「SourceセルとTargetセルの組合せ」に係る調整判定数のクラスの更新処理を行う。以下では、一「SourceセルとTargetセルの組合せ」に係る調整判定数の更新について説明する。
【００３５】
（ステップＳ１１）
制御部１２は、クラスダウン停止タイマのタイマ値を確認する。この結果、タイマ値が０である場合にはステップＳ１２に進み、そうでない場合にはステップＳ１６に進む。
【００３６】
（ステップＳ１２）
制御部１２は、Ｔ時間分の蓄積数（ハンドオーバ失敗事象の発生回数と「Ping-Pong HO」の発生回数の合計値）を調べる。この結果、Ｔ時間分の蓄積数が、直近の所定回数（ｎ回）連続でａ１回以上である場合にはステップＳ１３に進む。Ｔ時間分の蓄積数が、直近の所定回数（ｎ回）連続でｂ１回以上（但し、所定回数（ｎ回）連続でａ１回以上の場合は除く）である場合にはステップＳ１４に進む。Ｔ時間分の蓄積数が、直近の所定回数（ｎ回）連続でｃ１回以上（但し、所定回数（ｎ回）連続でｂ１回以上の場合は除く）である場合にはステップＳ１５に進む。ｎは自然数である。例えば、「ｎ＝３」とする。
【００３７】
（ステップＳ１３）
制御部１２は、調整判定数のクラスをクラスＡに決定する。この後、図５の処理を終了する。
【００３８】
（ステップＳ１４）
制御部１２は、調整判定数のクラスをクラスＢに決定する。この後、図５の処理を終了する。
【００３９】
（ステップＳ１５）
制御部１２は、調整判定数のクラスをクラスＣに決定する。この後、図５の処理を終了する。
【００４０】
（ステップＳ１６）
制御部１２は、現在の調整判定数のクラスを確認する。この結果、クラスＡの場合にはステップＳ１７に進み、クラスＢの場合にはステップＳ１８に進み、クラスＣの場合には図５の処理を終了する。
【００４１】
（ステップＳ１７）
制御部１２は、クラスダウン停止タイマのタイマ値を１だけ減算する。この後、図５の処理を終了する。
【００４２】
（ステップＳ１８）
制御部１２は、Ｔ時間分の蓄積数（ハンドオーバ失敗事象の発生回数と「Ping-Pong HO」の発生回数の合計値）を調べる。この結果、Ｔ時間分の蓄積数が、直近の所定回数（ｎ回）連続でａ１回未満である場合にはステップＳ１９に進む。Ｔ時間分の蓄積数が、直近の所定回数（ｎ回）連続でａ１回以上である場合にはステップＳ２０に進む。
【００４３】
（ステップＳ１９）
制御部１２は、調整判定数のクラスをクラスＢに決定する。この後、図５の処理を終了する。
【００４４】
（ステップＳ２０）
制御部１２は、調整判定数のクラスをクラスＡに決定する。この後、図５の処理を終了する。
【００４５】
以上、本発明の実施形態について図面を参照して詳述してきたが、具体的な構成はこの実施形態に限られるものではなく、本発明の要旨を逸脱しない範囲の設計変更等も含まれる。
【００４６】
なお、上述した実施形態では、図１に示すように、１台のハンドオーバパラメータ調整装置が複数の基地局のハンドオーバパラメータを集中的に調整するようにしたが、これに限定されない。図６に示すように、セル毎にハンドオーバパラメータ調整装置を設け、各ハンドオーバパラメータ調整装置が各セルのハンドオーバパラメータを調整するようにしてもよい。
【００４７】
また、図４、図５に示す各ステップを実現するためのプログラムをコンピュータ読み取り可能な記録媒体に記録して、この記録媒体に記録されたプログラムをコンピュータシステムに読み込ませ、実行することにより、ハンドオーバパラメータ調整制御処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００４８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４９】
１…ハンドオーバパラメータ調整装置、１０…パラメータ調整制御部（ハンドオーバパラメータ調整制御装置）、２０…パラメータ調整部、１１…集計部、１２…制御部
【図１】
2013135282.tif 000003
【図２】
2013135282.tif 000004
【図３】
2013135282.tif 000005
【図４】
2013135282.tif 000006
【図５】
2013135282.tif 000007
【図６】
2013135282.tif 000008